(57)【要約】  スイッチングノイズの影響を抑制した電流計測技術を提供する。  本明細書が開示する技術は、スイッチング回路の出力電流を計測する電流センサである。電流センサは、電流の計測ポイントに配置した磁気光学素子と、磁気光学素子に光を照射する光源と、磁気光学素子の透過光、または、反射光を受信する光受信器を備える。光源は、スイッチング回路のキャリア信号に同期して光を照射する。キャリア信号に同期して光を照射し、その光で電流を計測する。キャリア信号に同期させるので、キャリア信号に基づいて生成されるPWM信号に起因するスイッチングタイミング以外で電流を計測することができる。
2013125011.tif 000002
【特許請求の範囲】
【請求項１】
スイッチング回路の出力電流を計測する電流センサであり、
電流の計測ポイントに配置した磁気光学素子と、
磁気光学素子に光を照射する光源と、
磁気光学素子の透過光、または、反射光を受信する光受信器と、
受信した光の偏光状態から計測ポイントにおける電流値を算出する演算部と、
を備えており、
光源が、スイッチング回路のキャリア信号に同期して光を照射することを特徴とする電流センサ。
【請求項２】
光源は、キャリア信号のピーク又はボトムに同期したパルス光を照射することを特徴とする請求項１に記載の電流センサ。
【請求項３】
光源は、キャリア信号のピーク又はボトムのタイミングを含むパルス光を照射することを特徴とする請求項２に記載の電流センサ。
【請求項４】
光源は、キャリア信号のピーク又はボトムのタイミングを中心とするパルス光を照射することを特徴とする請求項３に記載の電流センサ。
【請求項５】
請求項１から４のいずれか１項に記載のスイッチング回路と電流センサを備えた電力変換器。
【請求項６】
請求項５の電力変換器であって、一つのキャリア信号に同期した３個の光源によってＵＶＷ３相の出力交流電流を計測する電流センサを備えたインバータ。
【発明の詳細な説明】
【技術分野】
【０００１】
本明細書が開示する技術は、スイッチング回路の出力電流の計測に適した電流センサと、そのような電流センサを含む電力変換器に関する。本明細書が開示する電流センサは、磁気光学素子（Magneto-Optical Crystal）を利用する。
【背景技術】
【０００２】
極めて短時間に精度良く電流を計測するデバイスに、磁気光学素子を用いた電流センサがある。その電流センサは、基本的に、電流の計測ポイントに配置した磁気光学素子と、磁気光学素子にレーザを照射するレーザ光源と、磁気光学素子による反射レーザ（あるいは、透過レーザ）を受信するレーザ受信器と、受信したレーザの偏光状態から計測ポイントにおける電流値を算出する演算部で構成されている。【０００３】
磁気光学素子は、受けている磁界に応じて反射光あるいは透過光の偏光状態を変化させる特定を有している。従って、電流が発する磁界内に磁気光学素子を配置し、その磁気光学素子にレーザを照射し、反射光（あるいは透過光）の偏光状態から電流の大きさを求めることができる。磁気光学素子を使った電流センサは、極めて短時間で計測できること（周波数帯域が広いこと）、非侵襲であること、電磁ノイズに強いこと、などの利点がある。なお、磁界の影響によって透過光の偏光状態が変化し、偏光面が回転する現象はファラデー効果と呼ばれ、反射光の偏光状態が変化する現象は磁気光学カー効果（Magneto-Optical Kerr Effect）と呼ばれる。【０００４】
例えば、特開平６−２２４７２７号公報（特許文献１）、そのような電流センサの適用例が開示されている。また、特願２０１１−５６４７３号（本願出願時は未公開）にも、そのような電流センサの一例が開示されている。特に、特許文献１は、電気自動車や鉄道のインバータが強い電磁ノイズを発生することを理由に、インバータの出力交流電流を計測する電流センサに上記の磁気光学素子を使った電流センサを適用することを提案している。
【発明の概要】
【発明が解決しようとする課題】
【０００５】
インバータに限らず、スイッチング回路を含む電力変換器は、スイッチング動作が電磁ノイズの原因の一つである。本明細書が開示する技術も、磁気光学素子を利用した電流センサを採用する。本明細書が開示する技術は、スイッチング回路に特有の構成を巧みに利用し、電流計測においてスイッチング動作に起因するノイズの影響を抑制する。
【課題を解決するための手段】
【０００６】
スイッチング回路を駆動する信号は、多くの場合ＰＷＭ信号（あるいはＰＡＭ信号）である。ＰＷＭ信号は、キャリア信号と呼ばれる周期信号と、指令信号（駆動信号）と呼ばれる信号から生成される。指令信号は、出力させたい交流波形に相当する。スイッチング回路のコントローラは、キャリア信号と指令信号を比較し、いずれか一方（例えばキャリア）の電圧が高い期間がパルス幅に相当する可変パルス幅の信号、すなわちＰＷＭ信号を生成する。ここで、スイッチング動作が生じるタイミングは、キャリア信号と指令信号の交点に相当する。そして、スイッチング動作に起因してノイズが発生する。そこで、本明細書が開示する技術は、その交点を避けるようにレーザの発射タイミングを調整する。具体的には、本明細書が開示する電流センサでは、レーザ光源が、スイッチング回路の駆動信号を生成するためのキャリア信号に同期して光を照射する。そのように構成することによって、スイッチング動作のタイミングと異なるタイミングで電流計測のためのレーザ光が照射される。スイッチングタイミングで発生するノイズは、そのようなレーザ光に基づく電流計測値には影響しないか、影響してもわずかである。【０００７】
キャリア信号に同期したパルスレーザを発生させるには、例えば、電圧レベルが一定の指令信号とキャリア信号を比較し、キャリア信号が大きい期間だけ（あるいは小さい期間だけ）レーザを照射するようにすればよい。キャリア信号が大きい期間にレーザを照射するパルスレーザは、キャリア信号のピークに同期したパルスレーザとなり、さらには、ピークを中心とするパルスレーザとなる。逆に、キャリア信号が小さい期間にレーザを照射するパルスレーザは、キャリア信号のボトムに同期したパルスレーザとなり、さらには、ボトムを中心とするパルスレーザとなる。そのようなパルスレーザを用いれば、スイッチングタイミングを外して電流を計測することができ、スイッチングに起因するノイズの影響を排除できる。【０００８】
なお、キャリア信号のピーク付近、あるいは、ボトム付近をトリガとしたパルスレーザであれば上記の利点を得ることができる。それゆえ、例えば、ピーク（あるいはボトム）に近いレベルの指令振動とキャリア信号を比較し、その交点のタイミングから所定の時間幅だけパルスを発生するレーザ光源も有用であることに留意されたい。【０００９】
キャリア信号を利用する利点は他にもある。すでにあるキャリア信号を利用するので、パルスレーザを生成するための周期的なトリガ信号を別途に用意する必要がない。連続レーザではなく、パルスレーザを用いることで、レーザ光源の寿命が伸びる。また、パルスレーザは連続レーザよりも発熱量が小さい。電流センサをインバータの３相交流電流の計測に用いる場合、一つのキャリア信号に基づいて３個のパルスレーザを生成することによって、３つの交流信号を同じタイミングで計測することができる。【００１０】
上記の電流センサは、スイッチング回路の特性を利用した技術である。そえゆえ、上記の電流センサとスイッチング回路を備えた電力変換器も本明細書が開示する新規なデバイスである。特に、一つのキャリア信号に同期した３個のレーザ光源によってＵＶＷ３相の出力交流電流を計測する電流センサを備えたインバータは、本明細書が開示する新規なデバイスの最も典型的な例である。【００１１】
本明細書が開示する技術の詳細、及び、さらなる改良は、発明の実施の形態で説明する。
【図面の簡単な説明】
【００１２】
【図１】ハイブリッド車の駆動系のブロック図である。
【図２】電流センサのブロック図である。
【図３】ノイズを含む出力電流信号と、キャリア信号と、パルスレーザと、計測した電流値の関係の一例を示すグラフである。
【図４】ノイズを含む出力電流信号と、キャリア信号と、パルスレーザと、計測した電流値の関係の別の一例を示すグラフである。
【図５】ＡＤコンバータの起動遅れの補償を説明する図である。
【発明を実施するための形態】
【００１３】
図面を参照して実施例の電流センサを説明する。本実施例は、電流センサをハイブリッド車のモータ駆動用のインバータに適用したものである。電流センサは、インバータのＵＶＷ３相の出力電流を計測するためにインバータに備えられている。
【００１４】
図１にハイブリッド車２の駆動系のブロック図を示す。ハイブリッド車２は、走行用の駆動源として、モータ８とエンジン６を備えている。モータ８の出力トルクとエンジン６の出力トルクは、動力分配機構７で適宜に分配／合成され、車軸９（即ち車輪）へ伝達される。なお、図１は、本明細書の説明に要する部品だけを描いてあり、説明に関係のない一部の部品は図示を省略していることに留意されたい。
【００１５】
モータ８を駆動するための電力はメインバッテリ３から供給される。メインバッテリ３の出力電圧は例えば３００ボルトである。なお、図示を省略しているが、ハイブリッド車２は、メインバッテリ３の他に、カーナビやルームランプなど、メインバッテリ３の出力電圧よりも低い電圧で駆動するデバイス群（通称「補機」と呼ばれる）に電力を供給するための補機バッテリも備える。補機バッテリの出力電圧（即ち、補機の駆動電圧）は例えば１２ボルトや２４ボルトである。「メインバッテリ」との呼称は、「補機バッテリ」と区別するための便宜上のものである。
【００１６】
メインバッテリ３は、システムメインリレー４を介してインバータ５に接続される。システムメインリレー４は、メインバッテリ３と車両の電力回路を接続したり切断したりするスイッチである。システムメインリレー４は、上位コントローラ（不図示）によって切り換えられる。
【００１７】
インバータ５は、メインバッテリ３の電圧をモータ駆動に適した電圧（例えば６００ボルト）まで昇圧する電圧コンバータ回路１２と、昇圧後の直流電力を交流に変換するインバータ回路１３を含む。インバータ回路１３の出力電流が、モータ８への供給電力に相当する。なお、ハイブリッド車２は、エンジン６の駆動力、あるいは、車両の減速エネルギを利用してモータ８で発電することもできる。モータ８が発電する場合、インバータ回路１３が交流を直流に変換し、さらに、電圧コンバータ回路１２がメインバッテリ３よりも僅かに高い電圧まで降圧し、メインバッテリ３へ供給する。電圧コンバータ回路１２とインバータ回路１３はともにＩＧＢＴなどのスイッチング回路１４を主とする回路であり、スイッチング回路１４への制御信号（ＰＷＭ信号）は、コントローラ２０（インバータコントローラ）が生成し、供給する。なお、具体的には、スイッチング回路１４は、ＩＧＢＴとダイオードの逆並列接続で構成されており、ＰＷＭ信号は、ＩＧＢＴのゲートに供給される。また、インバータ５は、電圧コンバータ回路１２とインバータ回路１３の夫々に複数のスイッチング回路を備えるが、図１では一つのスイッチング回路にのみ符号「１４」を付していることに留意されたい。
【００１８】
コントローラ２０は、キャリア信号発生器２１と、ＰＷＭ発生器２２を含む。キャリア信号発生器２１は、予め定められた周波数の三角波を生成する。ＰＷＭ発生器２２は、上位コントローラ（不図示）から送られるモータ指令信号（モータ駆動信号）とキャリア信号を比較し、キャリア信号の電圧がモータ指令信号の電圧よりも高い期間をパルス幅として有するパルス信号（即ちＰＷＭ信号）を生成する。コントローラ２０は、各スイッチング回路に対して個別にＰＷＭ信号を生成する。生成されたＰＷＭ信号はインバータ回路１３の各スイッチング回路に供給される。
【００１９】
インバータ回路１３は複数のスイッチング回路を備えるが、キャリア信号は一つであることに留意されたい。
【００２０】
電圧コンバータ回路１２の低電圧側（即ちメインバッテリ側）にはコンデンサＣ２が接続されており、電圧コンバータ回路１２の高電圧側（即ちインバータ回路側）にはコンデンサＣ１が接続されている。コンデンサＣ２は電圧コンバータ回路１２と並列に接続されており、コンデンサＣ１も電圧コンバータ回路１２と並列に接続されている。コンデンサＣ２は、リアクトルＬ１及びスイッチング回路とともに昇圧／降圧回路を構成する。コンデンサＣ２は、メインバッテリ３の電力を一時的に蓄積し、リアクトルＬ１が誘導起電力を発生するときの電力源となる。コンデンサＣ２は、フィルタコンデンサと呼ばれることがある。コンデンサＣ１は、インバータ回路１３に入力される電流を平滑化するために挿入されており、平滑コンデンサと呼ばれることがある。なお、インバータ回路１３のスイッチング素子群の高電位側の電線をＰ線と称し、グランド電位側の電線をＮ線と称する。コンデンサＣ１は、Ｐ線とＮ線の間に挿入されている。メインバッテリ３からモータ８へは大電流が供給されるので、コンデンサＣ２、コンデンサＣ１ともに大容量である。
【００２１】
インバータ５は、モータ８へ供給する電流を制御するため、電流フィードバック制御を行う。そのため、インバータ５は電流センサ３０を備えている。電流センサ３０は、一つのコントローラ３１（センサコントローラ）と３つのセンサ本体３２で構成される。コントローラ３１は、インバータコントローラ２０内のキャリア信号発生器２１からキャリア信号を受け、そのキャリア信号に同期したレーザ駆動信号を生成する。レーザ駆動信号は、キャリア信号に同期したパルス信号である。レーザ駆動信号は３つのセンサ本体３２の夫々に送られる。センサ本体３２は、レーザ駆動信号に基づいてパルスレーザをターゲットに照射し、その反射波を受信する。ターゲットは、電流ケーブルに備えられた磁気光学素子である。センサ本体３２は、レーザ反射波の偏光角を示す信号をコントローラ３１へ送る。コントローラ３１は、センサ本体３２から送られた信号に基づき、電流の大きさを特定する。図１に示すように、センサ本体３２は、インバータ５のＵＶＷ３相出力の夫々に取り付けられている。
【００２２】
センサ本体３２の構成について説明する。センサ本体３２のブロック図を図２に示す。図２に示すセンサ本体３２は、インバータのＵ相出力のバスバ９０に流れる電流Irを計測する。前述したように、コントローラ３１は、キャリア信号発生器２１からキャリア信号を受け、キャリア信号に同期したレーザ駆動信号をレーザ光源４１に送る。コントローラ３１が送信するレーザ駆動信号は、パルス信号である。レーザ光源４１は、コントローラ３１が生成したレーザ駆動信号に基づき、パルスレーザを照射する。レーザ駆動信号については後に詳しく説明する。レーザ光源４１から照射されたパルスレーザは、偏光プリズム４２を通り、直線偏光レーザとなる。直線偏光のパルスレーザは、バスバ９０に沿って配置された磁気光学素子５０（MOC:Magneto-Optical Crystal）に照射される。磁気光学素子は、磁界を受けると複屈折率が変化する特性を有する素子である。磁気光学素子５０は、受けた磁界の強さに応じて複屈折率を変化させる。複屈折率が変化することによって、通過レーザ光の偏光状態が変化する。典型的には、磁界の強さに応じて偏光角が変化する。ここで、磁界Hrは、バスバ９０を流れる電流Irに起因して生じる。従って磁気光学素子５０を通過したレーザ光の偏光状態（偏光角）を計測することによって、磁界の強さHr、即ち、電流Irの大きさが計測できる。磁気光学素子５０としては、例えば、Bi-YIGバルク単結晶４８の背面に誘電体全反射ミラー（ＤＭ）４９をコーティングしたものを用いればよい。誘電体全反射ミラー４９をコーティングしているので、パルスレーザは磁気光学素子５０で反射する。反射レーザ光は、１／４波長板５２を通過した後、プリズムビームスプリッタ４３でｐ波とｓ波に分離される。それぞれのレーザ光は、レーザ検出器４４ａ、４４ｂで検出される。詳しい説明は省略するが、ｐ波とｓ波の強度差が偏光角に相当する。レーザ検出器４４ａ、４４ｂは、それぞれ、ｐ波の強度とｓ波の強度を計測する。レーザ検出器４４ａ、４４ｂの出力は作動アンプ４６に入力され、２本のレーザ光の差が増幅される。２本のレーザ光の差が磁界Hrの大きさ、即ち、バスバ９０を通る電流Irに相当する。作動アンプ４６の出力はローパスフィルタ４７を介してコントローラ３１へ送られる。なお、作動アンプ４６の出力から電流を算出する演算はコントローラ３１が行う。また、磁気光学素子５０は、電流を計測するバスバ上の任意の位置に取り付けてよい。磁気光学素子５０が取り付けられた位置が計測ポイントに相当する。即ち、計測ポイントは、電流を計測するバスバ上の任意の位置に定めることができる。
【００２３】
レーザ光源４１はインバータ５のキャリア信号に同期したパルスレーザを照射する。その利点を説明する。図３は、インバータの出力電流（図３（Ａ））、キャリア信号（図３（Ｂ））、パルスレーザ（図３（Ｃ））、及び、計測した電流（図３（Ｄ））の関係を示すグラフである。図３（Ｂ）は、キャリア信号Ｃａと、モータ駆動指令Ｄｒを示している。モータ駆動指令Ｄｒは、モータに供給したい電流波形を表す。ＰＷＭ発生器２２（図１参照）は、キャリア信号Ｃａとモータ駆動指令Ｄｒを比較し、キャリア信号Ｃａが高い期間をパルス幅とするＰＷＭ信号を生成する。ＰＷＭ発生器２２は、生成したＰＷＭ信号をスイッチング回路に供給する。スイッチング回路はＰＷＭ信号に応じてスイッチングを繰り返し、図３（Ａ）に示す電流Ｉｒが出力される。スイッチングのタイミングは、キャリア信号Ｃａとモータ駆動指令Ｄｒの交点に相当し、このタイミングで出力電流Ｉｒにノイズが生じる（図３（Ａ）の記号Ｎ参照）。
【００２４】
他方、電流センサ３０のコントローラ３１は、キャリア信号Ｃａと、電圧レベル一定の参照信号Ｄｄから、レーザの駆動信号を生成する（図３（Ｂ）、（Ｃ）参照）。コントローラ３１は、キャリア信号Ｃａと参照信号Ｄｄを比較し、キャリア信号の電圧が参照信号Ｄｄの電圧よりも高い期間をパルス幅とするレーザ駆動信号を生成する（図３（Ｃ））。レーザ光源４１（図２参照）は、レーザ駆動信号に応じたパルスレーザを照射する。図３から明らかなとおり、レーザ光源４１が照射するパルスレーザは、インバータのキャリア信号Ｃａに同期している。より詳しくは、レーザ光源４１が照射するパルスレーザは、キャリア信号ＣａのピークＰｋを中心とする所定幅のパルスとなる。キャリア信号ＣａのピークＰｋがスイッチングタイミングと一致することはなく、スイッチングとスイッチングの間でレーザが照射され、電流が計測される。パルスレーザが照射されている期間内で、電流が計測される。図３（Ｄ）の符号Ｔｓが、電流を計測するタイミングを示している。図３（Ｄ）に示すように、電流Ｉｒの計測タイミングＴｓは、スイッチングとスイッチングの間となり、電流計測値ＩｄにはノイズＮが影響しない。Ｖ相出力電流とＷ相出力電流を計測するセンサ本体３２についても同様である。
【００２５】
インバータ５は、ＵＶＷ３相出力電流の夫々を計測する３個のセンサ本体３２を備えている。全てのセンサ本体に供給されるレーザ駆動信号は一つのキャリア信号Ｃａに基づいている。それゆえ、インバータ５は、ＵＶＷ３相出力電流を同時に計測することができる。
【００２６】
図３の例は、レーザ光源４１がキャリア信号Ｃａのピークタイミングを含むパルスレーザを照射した。同じ利点は、キャリア信号Ｃａのボトムのタイミングを含むパルスレーザであっても得られる。図４は、ノイズを含む出力電流信号（図４（Ａ））と、キャリア信号（図４（Ｂ））と、パルスレーザ（図４（Ｃ））と、計測した電流値（図４（Ｄ））の関係の別の一例を示すグラフである。図４の例では、コントローラ３１は、低いレベルの参照信号Ｄｄを使ってレーザ駆動信号を生成する。具体的には、コントローラ３１は、キャリア信号Ｃａと参照信号Ｄｄを比較し、キャリア信号の電圧が参照信号Ｄｄの電圧よりも低い期間をパルス幅とするレーザ駆動信号を生成する（図３（Ｃ））。他方、図４（Ｂ）に示すように、ＰＷＭ信号は、キャリア信号Ｃａとモータ駆動指令Ｄｒとの交点で定まるパルス信号であり、その交点（即ちスイッチングタイミング）が、キャリア信号ＣａのボトムＢｔｍと一致することはない。それゆえ、キャリア信号ＣａのボトムＢｔｍに同期したパルスレーザを採用する電流センサは、スイッチングノイズが生じるタイミング以外のタイミングで電流を計測することができる（図４（Ｄ）参照）。より詳細には、図４の例では、レーザ光源４１は、キャリア信号ＣａのボトムＢｔｍを中心とする所定幅のパルスレーザを照射する。パルスレーザの幅は、参照信号Ｄｄのレベルで定まる。
【００２７】
実施例で示した技術の留意点を述べる。図３、図４で示したように、レーザ光源４１は、キャリア信号に同期したパルスレーザを照射する。パルスレーザの幅Ｐｗは、参照信号Ｄｄのレベルで定められる。パルスレーザの幅Ｐｗは、次のとおりに設定することが望ましい。図５は、キャリア信号Ｃａ（図５（Ａ））と、パルスレーザ（図５（Ｂ））と、電流計測タイミングＴｓ（図５（Ｃ））の関係を示すグラフである。図５（Ｂ）の符号Ｔａは、パルスレーザの立ちあがりタイミングを示している。このタイミングＴａで、パルスレーザが照射され始める。また、このタミングＴａで、レーザ検知器４４ａ、４４ｂが動作を開始する。レーザ検知器４４ａ、４４ｂは、レーザの強さをデジタイズして取り込むＡＤ変換器を含んでおり、一般に、ＡＤ変換器は起動に僅かに時間を要する。図５（Ｃ）の符号ｄＴが、起動の遅れ時間を示している。遅れ時間は、0.01msec〜0.1msec程度であるが、その遅れ時間の間、レーザが照射されていることが必要である。前述したように、パルスレーザのパルス幅Ｐｗは、参照信号Ｄｄのレベルに依存する。パルスレーザのパルス幅Ｐｗは、レーザ検知器の遅れ時間ｄＴよりも長い時間に設定されることが望ましい。
【００２８】
電流センサ３０のその他の利点を説明する。レーザ光源４１は、パルスレーザを照射するので、連続レーザよりも寿命が長い。また、レーザ光源４１は、パルスレーザを照射するので、連続レーザよりも発熱量が小さい。
【００２９】
実施例では、インバータの出力電流を計測する電流センサを説明した。本明細書が開示する技術は、スイッチングタイミング以外のタイミングでパルスレーザを照射することを特徴とする。本明細書が開示する技術は、インバータに限られず、スイッチング回路を有する電力変換器に広く適用することができる。例えば、図１に示したインバータ５において、電圧コンバータ回路１２もスイッチング回路を備えている。それゆえ、電圧コンバータ回路１２の出力（図１のポイントＱ）の電流を計測する場合も本明細書が開示する技術が有効である。
【００３０】
本発明の代表的かつ非限定的な具体例について、図面を参照して詳細に説明した。この詳細な説明は、本発明の好ましい例を実施するための詳細を当業者に示すことを単純に意図しており、本発明の範囲を限定することを意図したものではない。また、開示された追加的な特徴ならびに発明は、さらに改善された電流センサや電力変換器を提供するために、他の特徴や発明とは別に、又は共に用いることができる。
【００３１】
また、上記の詳細な説明で開示された特徴や工程の組み合わせは、最も広い意味において本発明を実施する際に必須のものではなく、特に本発明の代表的な具体例を説明するためにのみ記載されるものである。さらに、上記の代表的な具体例の様々な特徴、ならびに、独立及び従属請求項に記載されるものの様々な特徴は、本発明の追加的かつ有用な実施形態を提供するにあたって、ここに記載される具体例のとおりに、あるいは列挙された順番のとおりに組合せなければならないものではない。
【００３２】
本明細書及び／又は請求の範囲に記載された全ての特徴は、実施例及び／又は請求の範囲に記載された特徴の構成とは別に、出願当初の開示ならびに請求の範囲に記載された特定事項に対する限定として、個別に、かつ互いに独立して開示されることを意図するものである。さらに、全ての数値範囲及びグループ又は集団に関する記載は、出願当初の開示ならびに請求の範囲に記載された特定事項に対する限定として、それらの中間の構成を開示する意図を持ってなされている。
【００３３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
2013125011.tif 000003
【図２】
2013125011.tif 000004
【図３】
2013125011.tif 000005
【図４】
2013125011.tif 000006
【図５】
2013125011.tif 000007
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
スイッチング回路の出力電流を計測する電流センサであり、
電流の計測ポイントに配置した磁気光学素子と、
磁気光学素子に光を照射する光源と、
磁気光学素子の透過光、または、反射光を受信する光受信器と、
受信した光の偏光状態から計測ポイントにおける電流値を算出する演算部と、
を備えており、
光源が、スイッチング回路のキャリア信号に同期しておりそのパルス幅が前記光受信器の起動の遅れ時間よりも長いパルス光であってキャリア信号のピーク又はボトムのタイミングを含むパルス光を照射することを特徴とする電流センサ。
【請求項２】
請求項１に記載のスイッチング回路と電流センサを備えた電力変換器。
【請求項３】
請求項２の電力変換器であって、一つのキャリア信号に同期した３個の光源によってＵＶＷ３相の出力交流電流を計測する電流センサを備えたインバータ。
【国際調査報告】
2013125011.tif 000008
2013125011.tif 000009